(57)【特許請求の範囲】
【請求項１】
遊技球を揚送するための遊技球揚送用のスプロケットと、帯状素材で出来たガイドばねと、前記スプロケットと前記ガイドばねとを収容する凹状の遊技球受け部が上面に形成された本体とからなり、前記本体と前記スプロケットとの間に遊技球流入口が形成するとともに前記遊技球流入口の反対側における前記本体と前記スプロケットとの間に遊技球出口を形成し、前記遊技球受け部に沿って帯状素材で出来たガイドばねを設け、前記ガイドばねにはセンサードッグとの間に形成されるガイドばねの厚み方向における遊技球流入口の幅を狭くして前記遊技球が前記スプロケットに噛みこむのを防止する噛みこみ防止ばね部を形成したスプロケット式遊技球揚送装置であって、一端が前記本体に固定されたガイドばねの前記噛みこみ防止ばね部は、本体との間に隙間ができるように前記スプロケット側に突出して形成されるとともに、前記噛みこみ防止ばね部から水平方向に延出された直線部は、本体の溝に嵌めこみ保持されていることを特徴とするスプロケット式遊技球揚送装置。
【請求項２】
前記遊技球出口と前記スプロケットの遊技球送り出し側との間に、帯状素材で出来たガイドばねを突起曲げ加工した逆流防止ストッパを設けている請求項１に記載のスプロケット式遊技球揚送装置。
【請求項３】
前記ガイドばねには前記噛みこみ防止ばね部となる突起部と、逆流防止ストッパとなる突起部と、凹状の遊技球受け部とスプロケットとの間に配置した帯状素材で作られたガイド部とが一体的に形成されている請求項１乃至請求項２のいずれか一項に記載のスプロケット式遊技球揚送装置。
【請求項４】
前記ガイドばねに設けた逆流防止ストッパには、逆Ｕ字状部が延設されている請求項２乃至請求項３のいずれか一項に記載のスプロケット式遊技球揚送装置。
【発明の詳細な説明】
【技術分野】
【０００１】  本発明は、スプロケット式遊技球揚送装置に関するものである。
【背景技術】
【０００２】  ゲームセンター遊技球用に製造された個別の遊技機は、個々に点数表示がなされている。
上記の遊技機は、遊技球を一旦ホッパーに受けて、センサー部へ転送し計数通路ユニットへ案内されて内部のセンサーで計数され、計数されなかった遊技球とともにこのあと、遊技済み遊技球排出通路に接続された樋を通り外部に排出され、排出された遊技球は、遊技球揚送機により順次押し上げられ遊技機内部機構へ戻される。
上記方式の遊技機は、遊技球が遊技機内を循環するため遊技球の使用数が１台あたり１５０個以下で少なくてすみ経費の節約になるが個別の揚送機が必要である。
一方パチンコ店では大型の揚送機で、１台あたり１０、１０００個ほど×台数のパチンコ玉がお店の中を搬送され、大量のパチンコ玉が循環されている。近年磁気カードの普及によりパチンコ店の出玉も点数表示方式に変わる可能性がある。
従来のスプロケット式遊技球揚送装置は、５０年以上前にパチンコ店用に開発されたもので比較的大型の物が使用され、揚送スプロケットが直径５０ｍｍ歯数１４で大きくストッパ及び噛みこみ防止機構も大きく装置全体も大型のため大きい容積を必要としている。
【先行技術文献】
【特許文献】
【０００３】
【特許文献１】特開２０００−１４０３８５号公報
【特許文献２】特開２００７−９７７５９号公報
【発明の概要】
【発明が解決しようとする課題】
【０００４】  ゲームセンター遊技機用に製造された遊技球遊技機は遊戯機内を遊技球が循環するので必要遊技球数が少なくてすむが、個々の遊技機に個別の揚送機が必要である。
上記遊技球遊技機は設置するスペースが小さく従来の遊技球揚送機は大型であった。
上記課題により従来機の約１／３のスペースで機能を満足する小型のスプロケット式遊技球揚送装置があればゲームセンター遊技機の製造コストダウンにもなり設置や移動が簡単になるために、課題解決が可能となる。【０００５】  従来のパチンコ玉移載器揚送機は、特開２０００−１４０３８５号公報または特開２００７−９７７５９号公報に開示されたスプリングとガイド部材を使用した噛みこみ防止機構は取付けるためには広いスペースを必要とするために、従来の流入部の噛みこみ防止機構及びストッパ部流入部機構のままでは小型化の実現が難しく、小型化を実現するために本発明が必要である。
【課題を解決するための手段】
【０００６】  本発明は、遊技球を揚送するための遊技球揚送用のスプロケットと、帯状素材で出来たガイドばねと、前記スプロケットと前記ガイドばねとを収容する凹状の遊技球受け部が上面に形成された本体とからなり、前記本体と前記スプロケットとの間に遊技球流入口が形成するとともに前記遊技球流入口の反対側における前記本体と前記スプロケットとの間に遊技球出口を形成し、前記遊技球受け部に沿って帯状素材で出来たガイドばねを設け、前記ガイドばねにはセンサードッグとの間に形成されるガイドばねの厚み方向における遊技球流入口の幅を狭くして前記遊技球が前記スプロケットに噛みこむのを防止する噛みこみ防止ばね部を形成したスプロケット式遊技球揚送装置であって、一端が前記本体に固定されたガイドばねの前記噛みこみ防止ばね部は、本体との間に隙間ができるように前記スプロケット側に突出して形成されるとともに、前記噛みこみ防止ばね部から水平方向に延出された直線部は、本体の溝に嵌めこみ保持されていることを特徴とする。
前記遊技球出口と前記スプロケットの遊技球送り出し側との間に、帯状素材で出来たガイドばねを突起曲げ加工した逆流防止ストッパを設けているのが好ましい。
【発明の効果】
【０００７】  本発明は、遊技球を揚送するための遊技球揚送用のスプロケットと、帯状素材で出来たガイドばねと、前記スプロケットと前記ガイドばねとを収容する凹状の遊技球受け部が上面に形成された本体とからなり、前記本体と前記スプロケットとの間に遊技球流入口が形成するとともに前記遊技球流入口の反対側における前記本体と前記スプロケットとの間に遊技球出口を形成し、前記遊技球受け部に沿って帯状素材で出来たガイドばねを設け、前記ガイドばねにはセンサードッグとの間に形成されるガイドばねの厚み方向における遊技球流入口の幅を狭くして前記遊技球が前記スプロケットに噛みこむのを防止する噛みこみ防止ばね部を形成したスプロケット式遊技球揚送装置であって、一端が前記本体に固定されたガイドばねの前記噛みこみ防止ばね部は、本体との間に隙間ができるように前記スプロケット側に突出して形成されるとともに、前記噛みこみ防止ばね部から水平方向に延出された直線部は、本体の溝に嵌めこみ保持されていることを特徴とするものであるから、確実に遊技球の噛みこみ防止ができ、スムーズに遊技球を移送することができるとともに、部品点数が少なく小型で構造が簡単なため組立に熟練の必要なく、メンテナンスも容易であるという効果がある。【０００８】  本発明は、前記遊技球出口と前記スプロケットの遊技球送り出し側との間に、帯状素材で出来たガイドばねを突起曲げ加工した逆流防止ストッパを設けているので、確実に遊技球の逆流防止ができるという効果がある。更に、前記ガイドばねは、帯状素材で出来ており、前記噛みこみ防止ばね部となる突起部と逆流防止ストッパとなる突起部とガイド部とが一体的に形成されているものは、部品点数が少なく機構構造が簡単で小型化ができるという効果がある。【０００９】  本発明は、小型で部品数が少なく、簡単な機構で従来機の機能を満たすことが出来、新規性あり遊技機揚送機だけでなく、遊技機内に組み込みも可能で、球体や丸棒等を使用した他装置・機械にも応用が可能である。【００１０】  本発明は、将来パチンコ機内部パチンコ玉循環方式に変化した時、本遊技球揚送装置機構がパチンコ台に利用の可能性がある。又、６等分スプロケットを用いた場合は、１分間２４０個の遊技球が揚送出来、入口振り子機構の遊技球確認センサードックを返して遊技球の有無を確認するセンサーで回転制御をしているために必要時のみモーター回転もできる。
【図面の簡単な説明】
【００１１】
【図１】本発明のスプロケット式遊技球揚送装置の組立正面図及び組立側面図
【図２】本発明のスプロケット式遊技球揚送装置の遊技球の流れイメージ断面図
【図３】本発明のスプロケット式遊技球揚送装置の遊技球流入用遊技球有りセンサー確認と正常流入イメージ図
【図４】本発明のスプロケット式遊技球揚送装置の遊技球揚送時落下防止ストッパ動作完了イメージ図
【図５】本発明のスプロケット式遊技球揚送装置のガイドばね形状図
【図６】本発明のスプロケット式遊技球揚送装置のスプロケットの正面図
【図７】本発明のスプロケット式遊技球揚送装置のガイドばね加工途中と加工後の形状イメージ図
【図８】本発明のスプロケット式遊技球揚送装置を用いた遊戯機と揚送機の配置イメージ図
【発明を実施するための形態】
【００１２】  以下、図面を参照しつつ本発明の好ましい実施形態を説明する。図１図２の玉番号は遊技球および遊技球の配列をあらわしている。
図１の左側図は揚送機組立正面図、右側図は揚送組立側面図で１１個の部品で構成されている。スプロケット式遊技球揚送装置は、遊技球を揚送するための遊技球揚送用のスプロケット４と、帯状素材で出来たガイドばね５と、スプロケット４とガイドばね５とを収容する凹状の遊技球受け部３Ａが上面に形成された本体３とからなり、本体３とスプロケット４との間に遊技球流入口３Ｂが形成するとともに遊技球流入口３Ｂの反対側における前記本体３と前記スプロケット４との間に遊技球出口３Ｃを形成し、遊技球受け部３Ａに沿って帯状素材で出来たガイドばね５を設け、ガイドばね５には遊技球流入口３Ｂの幅を狭くして遊技球がスプロケット４に噛みこむのを防止する噛みこみ防止ばね部５Ｂを形成している。遊技球出口３Ｃとスプロケット４の遊技球送り出し側との間に、帯状素材で出来たガイドばね５を突起曲げ加工した逆流防止ストッパ５Ｄを設けている。本体３の遊技球受け部３Ａに形成された遊技球移送ガイドとスプロケット間に帯状素材で作られたガイド部５Ｃを配置しており、ガイド部５Ｃにて遊技球の移送をガイドしている。ガイドばね５は、帯状素材で出来ており、噛みこみ防止ばね部５Ｂとなる突起部と逆流防止ストッパ５Ｄとなる突起部とガイド部５Ｃとが一体的に形成されている。
【００１３】  図５はガイドばね５の曲げ加工断面図である。
ガイドばね５は、帯状素材で作られており、図右側より本体３の溝３Ｄに嵌めこみ保持する直線部５Ａが形成されている。ガイドばね５には噛みこみ防止をするため本体３との間に隙間Ｓ１を形成できるようスプロケット４側に突出する突起からなる噛みこみ防止ばね部５Ｂが形成されている。噛みこみ防止ばね部５Ｂとセンサードック１０の斜めガイド１０Ａとで形成される隙間Ｓ２から遊技球が落下し、スプロケット４に形成された凸部４Ａと凹部４Ｂとでガイドされて遊技球出口３Ｃ側に送られる。ガイドばね５の中間部は、本体３の円弧状の凹所３Ｂと対応してＲ形状の円弧状に曲げ加工し、Ｒ形状の円弧状の終端に折り曲げ加工を施し遊技球の落下を止めるストッパ５Ｄとし本体３の一端に固定できる逆Ｕ字状の形状にした。
【００１４】  上記ガイドばね５は、図５右側直線部５Ａ終端より噛みこみ防止ばね部５Ｂに本体３から遊技球が転がり落下してきて垂直落下がスムーズに落ちるように曲げ加工がしてあり、上記噛みこみ防止対策と兼ねている。
【００１５】    上記ガイドばね５は、ばね自体を噛みこみ防止機構とする事で、噛みこみ防止機構の省スペースを可能にして揚送装置の小型化に繋がった。
【００１６】  上記ガイドばね５は、スプロケット４が小径で一度の揚送量が少なくガイドばねストッパは可動範囲が小さくてすませることが出来る形状に逆流防止ストッパ５Ｄが形成されており、ばね力とストッパ機構が一体の構造である。
【００１７】  上記ガイドばね５は、可動範囲が小さくてすませることが出来る形状に逆流防止ストッパ５Ｄが形成されているため、スプロケット４を１２等分以下でも小径を実現しうる構造になっている。
【００１８】  上記ガイドばね５は、帯状素材ｔ０．３×ｄ１０を図７帯状素材途中加工図５Ｅ、図７の５のように曲げ加工して一体で作っているが、噛みこみ防止部５Ｂ、周面ガイド部５Ｃ、逆流防止ストッパ部５Ｄを３分割で製作も可能で材料も弾力性があり反発力があれば金属又は樹脂などの様々な材料で製作可能である。
【００１９】  上記ガイドばね５の、周面ガイド部５Ｃは遊技球を傷のつかない表面処理が遊技球の当たるところにしてある。
【００２０】  図２は本体３と送りスプロケット４の間を遊技球が搬送される様子をイメージした断面図である。
遊技球の搬送をガイドする本体３は、図２の右側より遊技球を受け入れ、前記遊技球を自重落下で転がる傾斜面がつけられていて、スプロケット４のＲに加工された凹部４Ｂの形状は遊技球と対応しており、遊技球が凹部４Ｂに入るように遊技球下面をガイドしている。
【００２１】  上記スプロケット４に玉５が入りスプロケット凹部４Ｂに入った玉５をスプロケット４で回転し玉１方向移動するときに玉がスムーズに送れるような上記本体３の内周面ガイドがＲ加工してある。
【００２２】  上記本体３は玉１より揚送機構になるため周面Ｒ終端より垂直上向きに直線加工がしてある。
【００２３】  上記本体３のＲ加工の両端にガイドばね５取り付け用溝加工がしてあり前記ガイドばね５を固定できるようにしてある。
【００２４】前記図２の一部と図６はスプロケット４の断面図である。
スプロケット４は遊技球を受ける凹部Ｒ加工４Ｂが６か所あり下記駆動装置１の出力軸に取り付けられて、凹部４Ｂと共に凸部４Ａで遊技球をガイドして回転移動する。
【００２５】  上記スプロケット４が１２等分以下で可能で、今回は６等分のスプロケットで、スプロケットの外形が小径でもスムーズな揚送が出来ることが、遊技球揚送機が小型になっている。
【００２６】  上記スプロケット４とガイドばね５の組み合わせ機構構造が、省スペースで揚送を可能にして、遊技球揚送機全体が小型になっている。
【００２７】ベース２は、図１右側側面図から見た側面断面図のＬ形をしており、図１左側正面図から見た垂直面裏面に駆動装置１を取り付けＬ形垂直面表面に本体３・ジョイント６などの部品を取り付ける。ベース２のＬ形水平面下面には遊技球揚送装置を遊技台に固定するときの取り付け用穴がある。
【００２８】  駆動装置１は、ユニットになっていてモーターと減速ギアーと出力軸で構成され、上記出力軸に６等分のスプロケット４が取り付けられている。
【００２９】  ベース２は、本体３とジョイント６の部品を取り付けて遊技球を搬送揚送する時、遊技球の側面ガイドの役目をしている。
【００３０】ジョイント６は遊技球を入口から出口まで玉を揚送して、外部へ遊技球を押し上げ排出する繋ぎのためのもので、ベース２とガイド３に固定され、遊技球の揚送球をガイドしていて、外部機器と連結出来る構造である。
【００３１】側板７は、遊技球を搬送揚送する時、遊技球の側面ガイドの役目をしている。
【００３２】ばね押さえ８は、ガイドばねの一端を固定する。
【００３３】センサーステー９は、センサースイッチを取り付けるものである。遊技球の流入確認用ドックが長期間使用してすり減ったときスイッチ確認位置が変化してきたときスイッチ確認位置を微調整できるように長穴加工がしてある。
【００３４】センサードック１０は、下記の役目をしているものである。
センサードック１０は玉の流入を小型のセンサースイッチに伝える振り子方式で遊技球１個が通過確認する長さ分の曲げ加工がしてある。
【００３５】  センサードック１０は遊技球の垂直落下を助けるガイドの役目もする、斜めガイド１０Ａが曲げ加工してある。
【００３６】  センサードック１０は、斜めガイド１０Ａの曲げ加工がばねによる撥ね戻しされた遊技球の衝撃を吸収し遊技球の戻りを少なくしている。
【００３７】  センサードック１０は戻り遊技球がセンサー１１に当たらないようにしてセンサー１１の破損を防ぐ役目もしている。
【００３８】  センサードック１０は、軽量の遊技球が転がり落下が出来るように揺動の支点１０Ｂの上下のバランスを遊技球の重量に合わせ製作している。センサードック１０が揺動することで、センサードック１０は、斜めガイド１０Ａに当接した遊技球がセンサードック１０を押し上げて前の遊技球に追従して前の遊技球が収容されたスプロケット４の凹部４Ｂの後方に位置する凹部４Ｂに収容されて移送される。
【００３９】  センサードック１０は、遊技球とセンサー１１のサイズが合わなくても非接触のスイッチを使えるようにしたセンサードック１０で非接触電磁気感知の近接スイッチなどにも使用できる。
【００４０】  センサースイッチ１１は、遊技球の流入を確認するセンサースイッチである。
本発明のスプロケット式遊技球揚送装置は、以上１１個の部品で構成されている。
【００４１】  図３は、本体右側面からランダムに流れてくる遊技球が正常にセンサードック１０を通過してスプロケット４とガイドばね５の間に遊技球玉２が入ったときのイメージ断面図である。
【００４２】  図４は、遊技球揚送が終了してガイドばね５の落下防止ストッパが入りジョイント６へ遊技球が送られ落下防止状態を表している正常な揚送の様子をイメージした断面図である。
【００４３】図８は  遊戯機と揚送機の位置と大きさをイメージした図である。
遊技台５１、パチンコ台玉受け皿５１Ａ、パチンコ玉排出樋５１Ｂ、揚送機５２、出口遊技球揚送パイプの関連をイメージしている。
【産業上の利用可能性】
【００４４】  現在のパチンコ店では遊技用大型の揚送機でパチンコ玉を１台あたり１０，０００個ほど×台数の数百万個の玉がお店全体で搬送されているが、ゲームセンター遊技球用に製造された個別の遊技機方式は遊技球が遊技機内を循環するため遊技球の使用数が１５０個以下で少なくてすみ経費の節約になり、カードシステムの普及に伴い内部循環方式にパチンコ台が変わる可能性があり、カード式点数方式に変化したとき本発明の機構構造が簡単で小型でパチンコ機本体の組み込まれる可能性がある。【００４５】  上記パチンコ遊技機方式は遊技球が遊技機内を循環するため他店よりのパチンコ玉持ち込みの防犯上の心配が無くなり、遊技球のパチンコ玉に店名刻印の必要がなく経費の節約になり、本発明の揚送機又は機構が使用される可能性がある。【００４６】  上記パチンコ遊技機方式は遊技球が遊技機内を循環するためパチンコ台の前面玉受け皿５１Ａが必要でなくなり大幅なデザイン変更の可能性があり、本発明の揚送機又は機構が使用される可能性がある。
【符号の説明】
【００４７】１  駆動装置
２  ベースプレート
３  本体
４  スプロケット    ４Ａ  凸部                ４Ｂ  凹部
５  ガイドばね      ５Ａ  ガイド固定直線部    ５Ｂ  噛みこみ防止ばね部
５Ｃ  ガイド部      ５Ｄ  逆流防止ストッパ
５Ｅ  ガイドばね加工前帯状素材
６  ジョイント
７  側板
８  ばね押さえ
９  センサーステー
１０  センサードック
１１  センサー
５１  遊技台        ５１Ａ  玉受け皿          ５１Ｂ  遊技球排出樋
５２  揚送機        ５２Ａ  揚送パイプ
【図１】
0005397813.tif 000002
【図２】
0005397813.tif 000003
【図３】
0005397813.tif 000004
【図４】
0005397813.tif 000005
【図５】
0005397813.tif 000006
【図６】
0005397813.tif 000007
【図７】
0005397813.tif 000008
【図８】
0005397813.tif 000009